(57)【要約】【課題】燃焼効率の更なる向上が図れる燃料油改良装置を提供する。【解決手段】黒体放射体１４と、複数個の電磁波通過穴１７が形成され黒体放射体１４より放射される電磁波を一定の波長に収束させる電磁波収束体１５とからなる電磁波発生体１２の複数個をケース１１に直線状に配置して樹脂１３で一体化させて電磁波発生体ユニット１０を形成し、電磁波発生体ユニット１０を燃料油パイプ１を挟んで両側に電磁波収束体１５が燃料油パイプ１側になるように２個一対を複数組固定し、電磁波発生体ユニット１０が取付けられた燃料油パイプ１を円筒２１内に配置し、円筒２１内に樹脂２２を充填して一体化させてなる。【選択図】      図１
2007327423.tif 000002
【特許請求の範囲】
【請求項１】
黒体放射体と、複数個の電磁波通過穴が形成され前記黒体放射体より放射される電磁波を一定の波長に収束させる電磁波収束体とからなる電磁波発生体の複数個をケースに直線状に配置して樹脂で一体化させて電磁波発生体ユニットを形成し、この電磁波発生体ユニットを燃料油パイプを挟んで両側に電磁波収束体が燃料油パイプ側になるように２個一対を複数組固定し、この電磁波発生体ユニットが取付けられた燃料油パイプを円筒内に配置し、円筒内に樹脂を充填して一体化させてなることを特徴とする燃料油改良装置。
【発明の詳細な説明】
【技術分野】
【０００１】
本発明は、軽油や重油等の燃焼効率の向上を図るための燃料油改良装置に関する。
【背景技術】
【０００２】
液体の炭化水素燃料の燃焼は、炭化水素燃料の炭素に酸素が反応（発熱反応）することにより行われる。酸素が炭素と反応する時、炭素間の結合の隙間が狭く酸素が入れないため、酸素は両端の炭素としか反応できなく、炭素数の多い軽油や重油等は両端から酸素が反応するステップを１０回以上繰り返さないと全部が燃焼しないということになる。そこで、非常に短時間内に燃焼が完了する内燃機関では、炭素数が多い燃料ほど燃え残りの炭化水素部分が多くなる。これが排気ガス中に混入し、大気汚染の原因となっている。
【０００３】
従来、燃料の燃焼効率の向上を図った燃料油改良装置として、例えば特許文献１のように燃料油パイプの両側に磁石を配設したものがある。この構造は、燃料油パイプを挟んで両側に互いに極性が逆になるように配置した永久磁石と、この永久磁石及び燃料油パイプを囲むように配置された磁気回路形成用強磁性材製の第一筒体と、マイナスイオン発生セラミック及び／又はその他のマイナスイオン発生固体を含み、燃料油がその中を直接通過する第二筒体を備えている。このように、外部への磁気漏洩のないクローズドシステムの磁気回路、マイナスイオン発生セラミック及び／又は金属類を組合せにより、燃料油内のクラスターが効率良く細分化され、軽油やガソリンの分子と空気とが混ざり合って効率良く燃焼するため、燃焼効率が向上する。
【特許文献１】特開２００３−２０６８１６号公報
【発明の開示】
【発明が解決しようとする課題】
【０００４】
上記従来技術は、磁気回路の磁場を効果的に燃料に作用させるので、それ相応の効果がえられる。しかし、その効果には限界があり、更なる効率の向上が望まれていた。
【０００５】
本発明の課題は、燃焼効率の更なる向上が図れる燃料油改良装置を提供することにある。
【課題を解決するための手段】
【０００６】
上記課題を解決するための本発明の請求項１は、黒体放射体と、複数個の電磁波通過穴が形成され前記黒体放射体より放射される電磁波を一定の波長に収束させる電磁波収束体とからなる電磁波発生体の複数個をケースに直線状に配置して樹脂で一体化させて電磁波発生体ユニットを形成し、この電磁波発生体ユニットを燃料油パイプを挟んで両側に電磁波収束体が燃料油パイプ側になるように２個一対を複数組固定し、この電磁波発生体ユニットが取付けられた燃料油パイプを円筒内に配置し、円筒内に樹脂を充填して一体化させてなることを特徴とする。
【発明の効果】
【０００７】
黒体放射体より放射された電磁波は、Ｎ極とＳ極を互いに交互に配置した磁石の電磁波通過穴を通過することにより、波長の位相が揃えられて特定のレーザー的マイクロ波が得られる。このレーザー的マイクロ波は燃料油パイプを透過して燃料に照射される。レーザー的マイクロ波が燃料に照射されると、炭化水素燃料中の水素核に対して常磁性共鳴の条件下で電子及び核共鳴を起こす。この結果、炭素間の結合距離を少し長くし、その間に酸素の分子が入れるようになる。これにより、炭素数の多い軽油や重油等の炭化水素が、より炭素数の少ない燃料のように瞬間的に燃焼できるようになる。
【発明を実施するための最良の形態】
【０００８】
本発明の燃料油改良装置の一実施の形態を図１乃至図５により説明する。図１に示すように、燃料油パイプ１を挟んで両側には、２個一対の電磁波発生体ユニット１０Ａ、１０Ｂが３組が配設されている。電磁波発生体ユニット１０Ａと１０Ｂは同じ構造よりなるので、同じ部材又は部分には同一番号を付し、かつ符号Ａ、Ｂは省略し、必要に応じて番号の後に符号Ａ、Ｂを付して説明する。
【０００９】
電磁波発生体ユニット１０は図２に示すように、ケース１１内に電磁波発生体１２が３個一列に直線状に配置され、ケース１１と電磁波発生体１２間にはエポキシ樹脂１３が充填されて一体化されている。電磁波発生体１２は、図３に示すように、黒体放射体１４と、この黒体放射体１４より発生した電磁波を特定の波長に収束させる電磁波収束体１５とからなっている。
【００１０】
黒体放射体１４は、複種類の金属酸化物を粉体化し、１０００〜１４００°Ｃで焼結処理して形成されている。前記金属酸化物の原料としては、次の７種の原料であるコバルト（Ｃｏｂａｌｔ）、ニッケル（Ｎｉｃｋｅｌ）、マンガン（Ｍａｎｇａｎｅｓｅ）、銅（Ｃｏｐｐｅｒ）、鉄（Ｉｒｏｎ）、ボロン（Ｂｏｒｏｎ）、アルミニウム（Ａｌｕｍｉｎｉｕｍ）を主成分としている。そして、これらに次のネオジウム（Ｎｅｏｄｙｍｉｕｍ）、プラセオジウム（Ｐｒａｓｅｏｄｙｍｉｕｍ）、イットリウム（Ｙｔｔｒｉｕｍ）、ランサニウム（Ｌａｎｔｈａｎｕｍ）、セリウム（Ｃｅｒｉｕｍ）、サマリウム（Ｓａｍａｒｉｕｍ）、ユウロピウム（Ｅｕｒｏｐｉｕｍ）、ガドリニウム（Ｇａｄｏｌｉｎｉｕｍ）、テルビウム（Ｔｅｒｂｉｕｍ）、ディスプロシウム（Ｄｙｓｐｒｏｓｉｕｍ）、ホルミウム（Ｈｏｌｍｉｕｍ）、エルビウム（Ｅｒｂｉｕｍ）、ツリウム（Ｔｈｕｌｉｕｍ）、イッテルビウム（Ｙｔｔｅｒｂｉｕｍ）、ルテチウム（Ｌｕｔｅｔｉｕｍ）、クロミウム（Ｃｈｒｏｍｉｕｍ）の内の５種の金属酸化物を混合、即ち計１２種の金属酸化物を混合して形成する。
【００１１】
電磁波収束体１５は、リング状の磁石１６を多層（実施の形態は５層）に積層して形成されており、磁石１６は、Ｎ極とＳ極を互いに交互に配置されている。電磁波収束体１５には、直径１ｍｍ以下の微細な電磁波通過穴１７が多数形成されている。
【００１２】
前記した電磁波発生体ユニット１０（１０Ａ、１０Ｂ）は、図４に示すように、燃料油パイプ１を挟んで両側に電磁波収束体１５側が燃料油パイプ１側になるように配置し、紐２０で一体に固定してなる。図４には、燃料油パイプ１に相対向して配置された２個一対の電磁波発生体ユニット１０Ａ、１０Ｂが３組設けられている。
【００１３】
電磁波発生体ユニット１０Ａ、１０Ｂが固定された燃料油パイプ１は、図５に示すように、円筒２１内に配置し、円筒２１内にエポキシ樹脂２２を充填して、燃料油パイプ１、電磁波発生体ユニット１０Ａ、１０Ｂは円筒２１に一体化されている。このように形成された燃料油改良装置の円筒２１の両側には、図１に示すように、キャップ２３、２４が嵌め込まれている。
【００１４】
次に作用について説明する。図１に示す燃料油パイプ１を燃料経路に組み込んで使用する。黒体放射体１４より放射された電磁波は、Ｎ極とＳ極を互いに交互に配置した磁石１６の電磁波通過穴１７を通過することにより、波長の位相が揃えられて特定のレーザー的マイクロ波が得られる。このレーザー的マイクロ波は燃料油パイプ１を透過して燃料油パイプ１内を流れる燃料に照射される。レーザー的マイクロ波が燃料に照射されると、炭化水素燃料中の水素核に対して常磁性共鳴の条件下で電子及び核共鳴を起こす。この結果、炭素間の結合距離を少し長くし、その間に酸素の分子が入れるようになる。これにより、炭素数の多い軽油や重油等の炭化水素が、より炭素数の少ない燃料のように瞬間的に燃焼できるようになる。
【００１５】
このため、燃え残りが減少し、その分燃費は削減できる。また排気ガス中の白煙、黒煙及び粒子状物は減少し、大気汚染が改善される。また炭素数の少ない燃料のように低い温度で燃焼するので、その結果、窒素酸化物の発生も減少する。
【００１６】
なお、上記各実施の形態においては、５個の磁石２３を積層させた場合について説明したが、４個又は６個以上を積層してもよい。また２個一対の電磁波発生体ユニット１０Ａ、１０Ｂを３組設けたが、２組以上でもよい。またケース１１内に電磁波発生体１２を３個一列に直線状に配置したが、２個以上でもよい。
【図面の簡単な説明】
【００１７】
【図１】本発明の燃料油改良装置の一実施の形態を示す断面図である。
【図２】電磁波発生体ユニットを示し、（ａ）はケースを断面で図示した図、（ｂ）は平面図である。
【図３】電磁波発生体を示し、（ａ）は断面図、（ｂ）は平面図である。
【図４】燃料油パイプに電磁波発生体ユニットを取付けた状態を示し、（ａ）は正面図、（ｂ）は側面図である。
【図５】図４の組立体を円筒内に配置してモールドした状態図である。
【符号の説明】
【００１８】
１    燃料油パイプ
１０、１０Ａ、１０Ｂ    電磁波発生体ユニット
１１    ケース
１２    電磁波発生体
１３    エポキシ樹脂
１４    黒体放射体
１５    電磁波収束体
１６    磁石
１７    電磁波通過穴
２０    紐
２１    円筒
２２    エポキシ樹脂
【図１】
2007327423.tif 000003
【図２】
2007327423.tif 000004
【図３】
2007327423.tif 000005
【図４】
2007327423.tif 000006
【図５】
2007327423.tif 000007